(57)【要約】【課題】  悪臭を放つ寄せ餌を手を使うことなく直接にこませ籠内に充填し、かつすばやく寄せ餌に混じる水分を切り寄せ餌の容量を減らした後に追加の寄せ餌の充填が出来るようにする。さらに水中の障害物に開口部分が引っかかり抜けなくなることを回避しやすいこませ籠を得る。【解決手段】  釣りに用いる寄せ餌を充填して使用する網状のかご、すなわち、こませ籠において寄せ餌を充填する有底筒状の網である網かご部と、剛性の棒状部材である支柱部を上記網かご部の開口部より一端を挿入し、網かご部内部の底面中央付近にその一端を接合し、支柱部の他端に対して一端が回動自在かつ折り曲げ自在にあるいは支柱部２の一端との共動により回動自在かつ折り曲げ自在に係止されてなる剛性の棒状の部材である把持部とより構成したものである。【選択図】  図１
2010268684.tif 000002
【特許請求の範囲】
【請求項１】
釣りに用いる寄せ餌を充填して使用する網状のかご、すなわち、こませ籠において寄せ餌を充填する有底筒状の網である網かご部１と、上記網かご部１の開口部分より一端を挿入し、網かご部１内部の底面中央付近にその一端を接合した剛性の棒状の部材である支柱部２と、支柱部２の他端に対して一端が回動自在かつ折り曲げ自在に係止されてなる剛性の棒状の部材である把持部３とより構成したこませ籠。
【請求項２】
上記請求項１記載のこませ籠において剛性の棒状部材である支柱部２の一端を上記網かご部１の底面から外部へ貫通させ、その一端を貫通穴より大きく形成し、他端の回動自在かつ折り曲げ自在部分も同じくそのように形成し、貫通穴の中での摺動かつ回動はできるが両端の抜去は不能にし、支柱部２の他端に対して一端が回動自在かつ折り曲げ自在に、あるいは支柱部２の一端との共動により回動自在かつ折り曲げ自在に係止されてなる剛性の棒状の部材である把持部３とより構成したこませ籠。
【請求項３】
上記請求項１、請求項２のこませ籠において把持部３を折り曲げた際、網かご部１の開端部分に把持部３が接するように、また網かご部１の開端部分に剛性の切削部材４を備えたこませ籠。
【発明の詳細な説明】
【技術分野】
【０００１】
本発明は、釣りに使用する道具であり、直接手を触れることなく寄せ餌を充填することが出来るこませ籠に関する。
【背景技術】
【０００２】
従来のこませ籠は網かご部の開口部分の直径を対極として２点を釣り糸で繋ぎ、吊り下げているものがほとんどである。しかし釣糸を把持し、そのまま網かご部の開口部分に寄せ餌を充填するには冷凍アミエビのブロックを解凍したような粘性強度が強い寄せ餌に対して糸がたわみ、こませ籠をうまく操作できない。そこでスプーン等、強度のある剛性の道具で寄せ餌をすくいとり網かご部内に充填していた。
【０００３】
また、（０００２）に記載したような欠点を解消するため、釣り糸を剛性の取っ手に変えたものがある。（例えば特許文献１、特許文献２、非特許文献３参照）
【先行技術文献】
【特許文献】
【０００４】
【特許文献１】特開２００６−１１５８１６
【特許文献２】特開平７−３１３０３１
【非特許文献３】実開平７−３９４４９
【発明の概要】
【発明が解決しようとする課題】
【０００５】
以上（０００２）でのべた従来のこませ籠では、寄せ餌の充填のためにまず寄せ餌をスプーンなどの別の道具ですくい、そこからこませ籠に移すという二段階の手間がかかる。また（０００３）に述べたものではこませ籠に設けられた剛性の取っ手で寄せ餌をその粘性に阻まれることなくすくい取ることが可能であり、さらに手を汚さずにすむ。しかし、こませ籠自体の運動で寄せ餌の水分を切ることのできる構造の記述がない。また水中でこませ籠の開口部分が障害物に当たったとき取っ手の２点支持の対局方向では回避運動が難しいと思われる。
【０００６】
本発明は、このような従来の構成が有していた問題を解決し、かつ新しい機能を付与するものである。手を汚さずに直接寄せ餌をこませ籠に充填可能であり、かつ寄せ餌の水分を素早く切り容量を減らした後に追加の寄せ餌の充填を可能とする、さらに水中で開口部分が障害物に当たったとき回避運動が出来る範囲が広いこませ籠を得ることを目的とする。
【課題を解決するための手段】
【０００７】
そして、本発明は上記目的のために、こませ籠において寄せ餌を充填する有底筒状の網である網かご部と、上記網かご部の開口部分より一端を挿入し、網かご部内部の底面中央付近にその一端を接合する、あるいは上記一端を上記底面から外部へ貫通させ先端を貫通穴より大きく形成し、他端の回動自在部分も同じくそのように形成し、貫通穴の中での回動かつ摺動はできるが両端の抜去は不能にした剛性の棒状部材である支柱部と、支柱部の他端に対して一端が回動自在かつ折り曲げ自在に、あるいは支柱部２の一端との共動により回動自在かつ折り曲げ自在に係止されてなる剛性の棒状の部材である把持部３とより構成したこませ籠を構成したものである。
【０００８】
さらに好ましい構成として把持部を支柱部との係止部分を折り曲げた際、網かご部の開端部分に把持部が接するように、また網かご部の開端部分に剛性の切削部材を備えたものである。
【０００９】
上記０００７記載の課題解決手段による作用は次の通りである。すなわち、把持部を手で上方に保持したまま回動自在かつ折り曲げ自在に係止されている２a,３a部分を支点に把持部と支柱部をくの字に折り曲げる。すると支柱部と内部が接合もしくは係止されている網かご部も同時に折れ曲がり手は把持部を握ったまま容器外に出したまま、網かご部を容器内のペースト状の寄せ餌の中に没入することが出来る。そのまま把持部を手で保持したまま容器内の網かご部を任意に移動させ把持部を引き上げると寄せ餌は網かご部内に充填されることになる。寄せ餌によって手を汚されない効果とそれをすばやく充填のできる効果が得られる。さらに把持部を手で保持したまま中空にて回動自在かつ折り曲げ自在部分を中心に網かご部を円を描くように回転させたり、上下動を繰り返すことによって寄せ餌の水分がすばやく切れ、その容量が減じるため追加の寄せ餌の充填が可能となる。釣りにおいて釣果を上げるためには魚群を逃がさないためのすばやい対応が必要であり、寄せ餌をすばやく充填し水中に投入できるこれらの機能は魚群を引き付けておくために有利である。
【００１０】
さらに水中で網かご部の開口部分が障害物に当たったとき障害物を支点として把持部と支柱部の回動自在かつ折り曲げ自在部分が折れ曲がり網かご部が引っかかりを回避する方向へ動く。それにより障害物に網かご部が引っかかり動かせなくなることを防ぐことが出来る。また支柱部と把持部は網かご部を回動自在かつ折り曲げ自在部分一点で支持しているためその作用は開口部分３６０度の広い範囲に及ぶ。
【００１１】
上記０００８記載の課題解決手段による作用は次の通りである。すなわち把持部を支柱部と接合された回動自在かつ折り曲げ自在部分で折り曲げた際、網かご部の開端部分に把持部を接するようにする。すると、把持部が剛性であるためその力が網かご部に伝わり網かご部を下方の対象物に押し付けることが出来るようになる。すなわち下方の半解凍され表面が柔らかくなったアミエビブロックなどのブロック状の寄せ餌の表面に網かご部を押し付けることが出来る。その力を保持しながらそのままブロックの表面と平行に把持部を移動させることによってブロック表面の半解凍の柔らかいアミエビが開端部分によって削られそれを開口部分から網かご部内部に充填することが出来る。さらに開端部分に剛性の切削部材を備えることによって、まだ解凍され切っていないアミエビブロックの表面部分を切削部材で削り取り、網かご部内部に取り込むことができる。
【発明の効果】
【００１２】
上述したように本発明のこませ籠は、手や他の道具を使わずこませ籠自体で内部に寄せ餌を充填することが可能であり、手を汚さずすばやい充填ができる。さらに寄せ餌に含まれる水分を切る運動を行うことも可能であり、ブロック状の寄席せ餌の表面を削り取り網かご内に充填することも可能である。水中での障害物回避の機能も高い。
【図面の簡単な説明】
【００１３】
【図１】本発明のこませ籠の全体の斜視図である。
【図２】本発明のこませ籠の支持部と把持部の回動折り曲げ自在部分の実例の断面図である。
【図３】本発明のこませ籠が寄せ餌をすくいあげる場面の側面図及び容器と寄せ餌の断面図である。
【図４】本発明のこませ籠が寄せ餌の水分を切っている場面の側面図である。
【図５】本発明のこませ籠が障害物を回避している場合の側面図である。
【図６】本発明のこませ籠がブロック状の寄せ餌の表面を削り、内部に充填している場合の側面図である。
【発明を実施するための形態】
【実施例】
【００１４】
以下、本発明の実施の形態を図１〜図５に基づいて説明する。  
【００１５】
図１において１は寄せ餌を充填することの出来る有底筒状の網である網かご部である。効率的な実施にためにはステンレスやプラステチック製のある程度の強度をもった素材で形成することが望ましい。１aはその開口部分、１bはその有底部分、１cはその開端部分である。ここでは５の錘を用いて有底部分１bを形成している。２は支柱部であり金属やプラスチックなどの硬度のある棒状部材で形成するのが望ましい。ここではそれを５の錘に５aの貫通した穴をあけ２の支柱部の一端を挿入し、５aの穴より大きい２bのリングを形成することによって網かご部の有底部分１bに係止していて固定接合はしていない。また支柱部２は他端のリング２aとの間で５aの穴に対して摺動かつ回動はできるが抜去は不能になっている。３は把持部であり支柱部２と同じく金属やプラスチックなどの硬度のある棒状部材で形成するのが望ましい。把持部３は下端のリング３aによって支柱部２の他端のリング２aと鎖状に係止されている。この２a,３a部分と、係止されている支柱部２とその２bの部分の回転の共動により２a,３a部分は互いに回動自在かつ折り曲げ自在に動かすことが出来る。３bは把持部の上端でここではリングを形成し釣り糸Zを結び付けこませ籠を釣りの道具の一部に使用できるようになっている。釣り糸Zの上部には一般に釣り針や釣りの仕掛けが設けられるが今回のこませ籠の記述には関係ないので割愛する。４は切削部材でステンレスのような硬い剛性の金属の板などを網かご部１の開端部分１cに設置するのが望ましい。ここでは先端に凹凸をつけ切削の切れ味を良くしている。
【００１６】
図２は支柱部２と把持部３の回動自在かつ折り曲げ自在の係止の実例の断面図である。（図２A）はその両方の先端２a,３aを太く球に形成し、それらを両端を２a,３aより小さく絞って形成したカバーWで覆ったもの。（図２B）は把持部の一端３aを、カバーXに形成し、先端を太く球に形成した支持部２の一端２aを包み込み、端をその２aより小さく絞って抜去る不能にしたものとその逆の構成のものである。カバーX、Wともここでは断面図で表しており実際には球２aもしくは３a全体を覆い包むように形成している。またいずれの図面の場合も２b部分は有底部分１bと固定接合できる例である。（図２C）はその両方の２a,３a部分に穴hをうがち細いリングYで係止したものである。この場合２b部分は有底部分１bと固定接合せず、回動ができるように係止する。
【００１７】
図３は本発明のこませ籠が寄せ餌をすくいとる場面の側面図である。手８で把持部分３の上端を持ち容器６内の水に溶けた寄せ餌７の中に網かご部１を沈める。すると回動自在かつ折り曲げ自在の２a,３a部分が寄せ餌７の粘性により、また把持する手８の操作により折れ曲がり網かご部１の開口部分１aから寄せ餌７が進入し網かご部１内に充填される（図２A）。次に把持部３を持ったまま矢印H方向に引き上げると全体が引き上げられ2a,3aの回動自在かつ折り曲げ自在部分は重力により垂直となり寄せ餌７は網かご部１内にすくい取られる（図２B）。
【００１８】
図４は本発明のこませ籠が寄せ餌７をすくいとった後、その水分を切る様子である。寄せ餌７は一般に水溶性で、水中に散布して魚類を寄せ付けるために水分を補充し、解凍の後に使用したり、粉末をペースト状にして用いるのが一般的である。それゆえ水分の多い寄せ餌の場合、水分に邪魔されて寄せ餌自体が一回にすくいあげる量が満足にいかない場合がある。特に解凍したアミエビブロックにその場合が多い。ゆえに水分をこませ籠自体の運動ですばやく切ることが出来ればアミエビなどの寄せ餌７を何度もすくい取り満足のいく量を早急に確保できる。（図３A）は本発明のこませ籠を矢印I方向に円運動させた場合である。（図３B）は矢印J方向に上下動させた場合である。いずれも把持部３の上端を手８で保持し、回動自在かつ折り曲げ自在部分２a,３bを動かして行っている。（図３A）では支柱部２自体も回動している。いずれも網かご部１の有底部分１bに遠心力をかけて網かご部１の網部分から水分を切って排出している。破線像は動きの残像を表す。横線は水分を表す。
【００１９】
図５は本発明のこませ籠の開口部分１aが水中の岩などの障害物９に当たった場合の側面図である。横線は水を表す。こませ籠全体は３の把持部分より釣り糸Zで上方矢印K方向に引きあげられている途中である。その場合、２a,３aの回動自在かつ折り曲げ自在部分が障害物９を支点として折れ曲がることが出来、矢印L方向に全体が移動することによって開口部分１aは障害物９に引っかかることなく、こませ籠全体を水中より引き上げることが出来る。２a,３a部分が回動自在かつ折り曲げ自在であることおよびこの一点で網かご部１が支持されていることによりこの移動は開口部分1aの全体、すなわち３６０度で行うことが出来る。破線像は動きの残像を表す。
【００２０】
図６は本発明のこませ籠がブロック状の寄せ餌１０の表面を削り取り、網かご部１内部に充填する場合の側面図である。ブロック状の寄せ餌１０は半解凍状のアミエビなどの冷凍ブロックであり、ここではまだ完全に解凍されず水（横線部分）に溶けている量も少量で、依然ある程度の硬さを保って冷凍されている。ゆえにそれをそのまますくいとるのは難しい。よって本発明のこませ籠は把持部３の上端を持ちそれを２a、３a部分で折り曲げて、折曲がった把持部３の一部が開端部分１cに接点Sで接するように形成した。すると手８の網かご部１を下方に押し付ける力矢印Mの力が接点Sを通じてそのまま網かご部１にも伝わり、こませ籠全体をブロック状の寄せ餌１０に押し付ける力が生じる。そのまま手８を矢印N方向にスライドさせるように動かせば剛性の切削部材４によりブロック状の寄せ餌１０の表面が削られ１０aのように砕かれ、開口部１aを通って網かご部１内に充填されることとなる。このことはブロック状の寄せ餌１０の解凍が遅いにもかかわらず釣行を始める必要があるときに役立つ。
【産業上の利用可能性】
【００２１】
本発明はこませ籠自体を使って手を汚さず寄せ餌をすくい取りその水分も手早く切ることができることにより、寄せ餌を準備するための行動が軽便になる。よってその分魚を釣り上げる行動に集中できる。それはより多くの釣果を上げることに有利である。またこませ籠を水中の障害物に引っ掛けて失わない確立を高めることが出来、経済的にも有利である。しいては両方の効果により釣行をレジャーとしても楽しめる要素が増すことと思われる
【符号の説明】
【００２２】
１  網かご部分
２  支柱部分
３  把持部分
４  切削部材
５  錘
６  容器
７  ペースト状の寄せ餌
８  手
９  障害物
１０  ブロック状の寄せ餌
W、X  カバー
Y    細いリング
ｈ    穴
Z、釣り糸
H、I、J 、K、L、M  、N  方向を示す矢印
S  接点
破線像・・残像    
横線・・水、水分
【図１】
2010268684.tif 000003
【図２】
2010268684.tif 000004
【図３】
2010268684.tif 000005
【図４】
2010268684.tif 000006
【図５】
2010268684.tif 000007
【図６】
2010268684.tif 000008